(57)【要約】【課題】使い勝手の向上を図ることができる電気掃除機を提供する。【解決手段】掃除機本体１と、前記掃除機本体１に接続されるホース３と、把手を有し前記ホース３に接続される操作管４と、前記操作管４に接続される継手管５と、前記継手管５に接続される第１の吸込具１０と、前記第１の吸込具１０に接続される第２の吸込具６とを備えた電気掃除機１において、使用者による前記操作管４への引っ張り操作およびひねり操作に応じて、前記第１の吸込具１０が前記第２の吸込具６から外れる構成とした。【選択図】図３
2010269129.tif 000002
【特許請求の範囲】
【請求項１】
掃除機本体と、前記掃除機本体に接続されるホースと、把手を有し前記ホースに接続される操作管と、前記操作管に接続される継手管と、前記継手管に接続される第２の吸込具と、前記第２の吸込具に接続される第１の吸込具とを備えた電気掃除機において、
使用者による前記操作管への引っ張り操作およびひねり操作に応じて、前記第１の吸込具が前記第２の吸込具から外れることを特徴とする電気掃除機。
【請求項２】
請求項１に記載の電気掃除機において、
前記継手管に前記第２の吸込具が接続されずに前記継手管と前記第１の吸込具とが接続されている場合には、使用者による前記操作管への引っ張り操作およびひねり操作に応じて、前記継手管が前記第１の吸込具から外れることを特徴とする電気掃除機。
【請求項３】
請求項１に記載の電気掃除機において、
使用者による前記操作管への引っ張り操作およびひねり操作に加え、被清掃面と前記継手管とのなす角度が略９０度以上となる操作に応じて、前記第１の吸込具が前記第２の吸込具から外れることを特徴とする電気掃除機。
【請求項４】
請求項１に記載の電気掃除機において、
使用者による前記操作管への引っ張り操作およびひねり操作に加え、被清掃面と前記継手管とのなす角度が略６０度以上となる操作に応じて、前記第１の吸込具が前記第２の吸込具から外れることを特徴とする電気掃除機。
【請求項５】
請求項１に記載の電気掃除機において、
使用者による前記操作管へのボタン押下操作に応じて、前記継手管が前記操作管から外れ、
使用者による前記継手管へのボタン押下操作に応じて、前記第２の吸込具が前記継手管から外れ、
使用者による前記操作管への引っ張り操作およびひねり操作以外に、前記使用者による前記第２の吸込具へのボタン押下操作によっても、前記第１の吸込具が前記第２の吸込具から外れることを特徴とする電気掃除機。
【請求項６】
掃除機本体と前記掃除機本体に接続されるホースと前記ホースに接続される管と前記管に接続される吸込具とを備えた電気掃除機において、
前記管と前記吸込具のうち一方が他方に対して前記管の軸方向の引っ張り力および前記管の軸心を基準とした軸心周りのねじり力が作用した場合に、前記管と前記吸込具とが分離することを特徴とする電気掃除機。
【請求項７】
請求項６に記載の電気掃除機において、
前記管は、把手を有し前記ホースに接続される操作管と、前記操作管に接続される継手管と、前記継手管に接続される他の吸込具とを含み、
前記継手管に前記他の吸込具が接続されている場合には、前記他の吸込具が前記吸込具に接続され、前記管と前記吸込具のうち一方が他方に対して前記管の軸方向の引っ張り力および前記管の軸心を基準とした軸心周りのねじり力が作用した場合に、前記他の吸込具と前記吸込具の接続部分から前記管と前記吸込具とが分離し、
前記継手管に前記他の吸込具が接続されていない場合には、前記継手管が前記吸込具に接続され、前記管と前記吸込具のうち一方が他方に対して前記管の軸方向の引っ張り力および前記管の軸心を基準とした軸心周りのねじり力が作用した場合に、前記継手管と前記吸込具の接続部分から前記管と前記吸込具とが分離することを特徴とする電気掃除機。
【請求項８】
請求項６に記載の電気掃除機において、
前記管と前記吸込具のうち一方が他方に対して前記管の軸方向の引っ張り力および前記管の軸心を基準とした軸心周りのねじり力が作用し、さらに、被清掃面に対向する前記吸込具の吸込口面と前記管の軸心とのなす角度が所定の角度以上になった場合に、前記管と前記吸込具とが分離することを特徴とする電気掃除機。
【請求項９】
掃除機本体と前記掃除機本体に接続されるホースと前記ホースに接続される管と前記管に接続される吸込具とを備えた電気掃除機において、
前記管と前記吸込具との接続をロックするロック手段を備え、
前記ロック手段は、前記管と前記吸込具との少なくとも一方に２以上の異なる方向の力が作用した場合に、前記管と前記吸込具との接続のロックを解除することを特徴とする電気掃除機。
【請求項１０】
請求項９に記載の電気掃除機において、
前記２以上の異なる方向の力は、前記管の軸方向の力と前記管の円周方向の力を含むことを特徴とする電気掃除機。
【請求項１１】
請求項１０に記載の電気掃除機において、
前記ロック手段は、前記管と前記吸込具の少なくとも一方に前記管の軸方向の力が作用した後に、前記管と前記吸込具の少なくとも一方に前記管の円周方向の力が作用した場合に、前記管と前記吸込具との接続のロックを解除することを特徴とする電気掃除機。
【請求項１２】
請求項９から１１のいずれか１項に記載の電気掃除機において、
前記２以上の異なる方向の力は、被清掃面に対向する前記吸込具の吸込口面と前記管の軸心とのなす角度が所定の角度以上とする力を含むことを特徴とする電気掃除機。
【請求項１３】
請求項１２に記載の電気掃除機において、
前記ロック手段は、前記角度に対応して移動可能に設けられた移動部材を有しており、
前記移動部材は、前記角度が所定の角度未満であるときに、前記管と前記吸込具との接続のロックを保持する保持位置と、
前記角度が所定の角度以上であるときに、前記管と前記吸込具との接続のロックを解除する解除位置と、を採るように構成されていることを特徴とする電気掃除機。
【請求項１４】
請求項１３に記載の電気掃除機において、
前記移動部材は、前記保持位置と前記解除位置との間を転動可能に設けられており、
前記角度が所定の角度以上であるときに、前記保持位置から前記解除位置に向けて転動し、前記角度が所定の角度未満であるときに、前記第２の位置から前記第１の位置に向けて転動するように構成されていることを特徴とする電気掃除機。
【請求項１５】
請求項１４に記載の電気掃除機において、
前記ロック手段は、前記角度が所定の角度以上であるときに、前記移動部材が前記保持位置側から前記解除位置側に向けて自然に転動するように、前記保持位置側から前記解除位置側向けた傾斜部を備えていることを特徴とする電気掃除機。
【請求項１６】
請求項１４または請求項１５に記載の電気掃除機において、
前記ロック手段は、前記移動部材が前記解除位置側から前記保持位置側に向けて自然に転動するのを補助する、前記解除位置側から前記保持位置側向けた戻り用の傾斜部を備えていることを特徴とする電気掃除機。
【請求項１７】
掃除機本体と前記掃除機本体に接続されるホースと前記ホースに接続される管と前記管に接続される吸込具とを備えた電気掃除機において、
前記管における前記吸込具との接続部、および前記吸込具における前記管との接続部の一方に設けられた係合部と、
他方に設けられ、前記係合部に係合可能な係合部材と、を備え、
前記係合部は、前記管の軸方向に延びる一対の第１の面と、前記管の円周方向に延びる第２の面と、を含み、
前記第１の面における、前記第２の面の延長上となる部分に切欠部が形成されており、
前記係合部材は、前記第２の面から前記切欠部を通ることで前記係合部から離脱可能であることを特徴とする電気掃除機。
【請求項１８】
請求項１７に記載の電気掃除機において、
前記第２の面が形成された摺動部材を備え、
前記摺動部材は、
前記一対の第１の面の間において前記管の軸方向に摺動して位置変更可能であり、
前記一対の第１の面の間に位置して、前記係合部材の係合を保持する第１の位置と、
前記切欠部の側方に前記第２の面が位置して、前記切欠部を通じた前記係合部材の離脱を許容する第２の位置と、を採り得ることを特徴とする電気掃除機。
【請求項１９】
請求項１８に記載の電気掃除機において、
前記摺動部材を付勢する付勢手段を備え、
前記付勢手段は、前記摺動部材を前記第２の位置から前記第１の位置に向けて付勢することを特徴とする電気掃除機。
【請求項２０】
請求項１８または請求項１９に記載の電気掃除機において、
前記摺動部材の摺動をロックし、前記摺動部材を前記第１の位置に保持するロック手段を備え、
前記ロック手段は、被清掃面に対する前記吸込具の吸込口面と前記管の軸心とのなす角度が所定の角度以上となった場合に、前記摺動部材の摺動のロックを解除することを特徴とする電気掃除機。
【請求項２１】
請求項１７から請求項２０のいずれか１項に記載の電気掃除機において、
前記一対の第１の面は、前記管の軸方向に延びる一対の突起部または一対の段差部によって形成されていることを特徴とする電気掃除機。
【請求項２２】
請求項１８から請求項２１のいずれか１項に記載の電気掃除機において、
前記管における前記吸込具との接続部、および前記吸込具における前記管との接続部の一方に設けられ、前記管の軸方向に延びる電源端子と、
他方に設けられ、前記電源端子が接続される接続部と、を備え、
前記第１の位置に前記係合部材が位置するときに、前記電源端子が前記接続部に接続され、
前記第２の位置に前記係合部材が位置するときに、前記電源端子と前記接続部との接続が解除されることを特徴とする電気掃除機。
【請求項２３】
請求項１７から請求項２２のいずれか１項に記載の電気掃除機において、
前記係合部材は、前記管の半径方向に出没して前記係合部に係脱可能な係合突起を備えて構成されていることを特徴とする電気掃除機。
【請求項２４】
請求項１７から請求項２３のいずれか１項に記載の電気掃除機において、
前記管は、把手を有し前記ホースに接続される操作管と、前記操作管に接続される継手管と、前記継手管に接続される他の吸込具とを含み、
前記係合部材は、前記操作管の前記継手管との接続部と、前記継手管の前記他の吸込具との接続部と、前記他の吸込具の前記吸込具との接続部との、それぞれに形成されることを特徴とする電気掃除機。
【発明の詳細な説明】
【技術分野】
【０００１】
本発明は、電気掃除機に関し、特に、延長管等と吸込具との着脱が容易な電気掃除機に関する。
【背景技術】
【０００２】
従来、一般的な電気掃除機は、掃除機本体と、この掃除機本体に一端が接続されるホースと、ホースの他端に接続される手元操作部と、手元操作部に接続される管と、管の他端に着脱可能に取り付けられる吸込具とを備えて構成されている。
通常、管から吸込具を取り外す場合には、操作者が管と吸込具との両方を手に持ったり、これらを被清掃面に置いた状態でかがんだりして、管の一端に設けられた解除ボタンを押圧操作して管と吸込具との係合を解除し、管から吸込具を取り外していた。
【０００３】
一方、このような解除操作を行わずに、管と吸込具との係合を解除するようにした電気掃除機も知られている（例えば、特許文献１参照）。
この電気掃除機では、吸込具を床面に置いた状態で、管を略垂直に立てる操作を行うことで、管と吸込具との係合が解除されるように構成されている（例えば、特許文献１参照）。
【０００４】
また、吸込具に操作ペダルを設けて、この操作ペダルを足で踏むことによって、管と吸込具との係合が解除されるようにしたものも知られている（例えば、特許文献２参照）。
このような電気掃除機によれば、前記のように操作者が管と吸込具とを手に持ったり、かがんだりして解除操作を行う必要がなくなり、解除操作が容易である。
【先行技術文献】
【特許文献】
【０００５】
【特許文献１】特開平２００５−２８７６５９号公報
【特許文献２】特許第３８２６８４６号公報
【発明の概要】
【発明が解決しようとする課題】
【０００６】
しかしながら、前記特許文献１の電気掃除機では、略垂直に管を立てることで管と吸込具との係合が解除されるようになっているため、清掃中に管が略垂直となる姿勢になると、不意に管から吸込具が外れてしまうおそれがあった。
【０００７】
また、前記特許文献２の電気掃除機では、掃除中に家具等に操作ペダルが当たると簡単に管と吸込具との係合が解除されてしまうため、清掃中に不意に管から吸込具が外れてしまい使い勝手が悪いという問題があった。
【０００８】
本発明は、前記従来の問題を解決するものであり、使い勝手の向上を図ることができる電気掃除機を提供することを目的とする。
【課題を解決するための手段】
【０００９】
本発明は、掃除機本体と、前記掃除機本体に接続されるホースと、把手を有し前記ホースに接続される操作管と、前記操作管に接続される継手管と、前記継手管に接続される第２の吸込具と、前記第２の吸込具に接続される第１の吸込具とを備えた電気掃除機において、使用者による前記操作管への引っ張り操作およびひねり操作に応じて、前記第１の吸込具が前記第２の吸込具から外れることを特徴とする。
【００１０】
本発明によれば、使用者による操作管への引っ張り操作およびひねり操作の、２つの異なる操作を行ったときに、第１の吸込具を第２の吸込具から切り離すことができる。つまり、引っ張り操作のみ、あるいはひねり操作のみでは、第１の吸込具が第２の吸込具から切り離されないので、清掃中に不意に第１の吸込具が第２の吸込具から外れてしまうのを確実に防止することができ、使い勝手の良い電気掃除機が得られる。
【発明の効果】
【００１１】
本発明によれば、管と吸込具との着脱が簡単で、しかも、清掃中に不意に管から吸込具が外れるおそれのない電気掃除機が得られる。
【図面の簡単な説明】
【００１２】
【図１】第１実施形態の電気掃除機の全体を示す外観斜視図である。
【図２】第１実施形態の電気掃除機の吸口継手を示す一部透視斜視図である。
【図３】第１実施形態の電気掃除機の吸口継手を示す模式断面図である。
【図４】第１実施形態の電気掃除機の吸口継手を略垂直に立ち上げた状態を示す説明図である。
【図５】（ａ）は第１の位置にスライド部材が位置するときの第２の継手の要部を示す平面図、（ｂ）は第２の位置にスライド部材が位置するときの第２の継手の要部を示す平面図である。
【図６】（ａ）は吸口継手を略垂直に立ち上げた状態を示す一部透視斜視図、（ｂ）は同じく模式断面図である。
【図７】（ａ）は球状部材が転動してロックが解除された状態を示す一部透視斜視図、（ｂ）は同じく模式断面図である。
【図８】ロック解除後に第２の位置にスライド部材が移動した状態を示す斜視図、（ｂ）は同じく模式断面図である。
【図９】（ａ）〜（ｃ）は第１の吸込具を第２の吸込具から取り外す際の手順を示す説明図である。
【図１０】取付態様を示す斜視図である。
【図１１】（ａ）は第２実施形態の電気掃除機の吸口継手を示す一部透視斜視図、（ｂ）は同じく模式断面図である。
【図１２】（ａ）は球状部材が転動してロックが解除された状態を示す一部透視斜視図、（ｂ）は同じく模式断面図である。
【図１３】ロック解除後に第２の位置にスライド部材が移動した状態を示す斜視図、（ｂ）は同じく模式断面図である。
【図１４】使用例を示す斜視図である。
【図１５】使用例を示す模式図である。
【図１６】第３実施形態の電気掃除機の吸口継手を示す模式断面図である。
【図１７】ロック手段を構成する凹溝と収容室と示す模式拡大断面図である。
【図１８】（ａ）〜（ｄ）は球状部材が転動してロックが解除される際の作用を示す模式拡大断面図である。
【図１９】第４実施形態の電気掃除機の吸口継手を示す一部透視斜視図である。
【図２０】（ａ）は吸口継手の要部を示す斜視図、（ｂ）は同じく模式断面図である。
【図２１】（ａ）〜（ｃ）は第１の吸込具を第２の吸込具から取り外す際の手順を示す説明図である。
【発明を実施するための形態】
【００１３】
以下、本発明の実施形態について添付図面を参照して説明する。
（第１実施形態）
図１に示すように、電気掃除機１は、掃除機本体２と、ホース３と、手元操作ＳＷ等が設けられた操作管４と、継手管（管）としての延長管５と、吸込具として第２の吸込具６と、吸込具としての第１の吸込具１０とを備えて構成されている。
掃除機本体２の内部には、図示しない吸引力を発生させる電動送風機や、この電動送風機の吸引力で集塵した塵埃を収容する集塵部等が内蔵されており、手元操作部としての操作管４に設けられた手元操作ＳＷの操作等によって電動送風機の運転の強弱等が切り替えられるようになっている。
なお、以下の説明で各部の方向を言うときには、図１に示す方向を規準とする。なお、各部の方向を言うときに、掃除機本体２に近い側（後側）を一端側ということがあり、これとは反対側（前側）を他端側ということもある。
【００１４】
ホース３の一端は、掃除機本体２の集塵部と連通するように掃除機本体２の接続口２ａに接続され、ホース３の他端は、操作管４に接続されている。延長管５は、二つの管体５Ａ、５Ｂから構成されて伸縮可能であり、管体５Ａの一端が操作管４の他端に接続されている。
第２の吸込具６は、延長管５の管体５Ｂの他端に接続された吸込具であり、他端に第１の吸込具１０が接続される。第２の吸込具６は、その他端から第１の吸込具１０を取り外すことにより、単独で塵埃を吸い込む吸込具として機能するようになっている。なお、第２の吸込具６は、参照する図面において断面や外形を簡略して模式的に表している。
【００１５】
第１の吸込具１０は、第２の吸込具６の他端に接続された吸込具であり、下面（被清掃面に対峙する面）に吸込口１０ａが開口されている。なお、第１の吸込具１０は、延長管５の管体５Ｂの他端（上流側）や、操作管４の他端（上流側）に対して接続することも可能である。
【００１６】
第１の吸込具１０は、下部分を形成する下ケース１１、および下ケース１１の上部に被着された上ケース１２を備える吸口本体１０Ａと、吸口本体１０Ａの後方に取り付けられ、内部に吸込通路Ｒ１、Ｒ２が形成された吸口継手１０Ｂとを備える。
【００１７】
吸口継手１０Ｂは、第１の継手２０と、この第１の継手２０に対して図１中矢印Ｘ１方向（左右方向）に回動自在に接続された第２の継手３０とから構成されている。
第１の継手２０は、図２、図３に示すように、内部に吸込通路Ｒ１が形成された基体２１と、基体２１の上面に被着されたカバー部材２２とを備える。
基体２１の前端部には、回動軸部２１ａが形成されており、この回動軸部２１ａは、図４に示すように、吸口本体１０Ａ（図１参照）の後部内側に設けられたモータカバー８の後部と上ケース１２（図１参照）との間に図２、図４中矢印Ｙ１方向（上下方向）に回動自在に支持されている。
回動軸部２１ａの端部には、図４に示すように、切込部２１ｂが形成されており、この切込部２１ｂには、モータカバー８の後部に配置された垂直位置決め手段９の摺動部材９ａが係合するようになっている。摺動部材９ａは、コイルばね９ｂにより切込部２１ｂに対して係合する方向（上方向）に付勢されている。
本実施形態では、垂直位置決め手段９によって、図示しない被清掃面に対向する第１の吸込具１０の吸込口面を基準面Ｆとしたときに、基準面Ｆと延長管５（図１参照）の軸心Ｏ１とのなす角度θが９０度以上となるように設定されている。
なお、厳密には、角度θが必ず９０度以上というわけではなく、後記するように移動部材としての球状部材４６によるロックの解除を行うことができる角度であれば、９０度未満であってもよい。
【００１８】
図３に示すように、回動軸部２１ａの前端は開口しており、この開口を通じて、第１の継手２０の吸込通路Ｒ１は、吸口本体１０Ａ（図１参照）の吸込口１０ａに連通している。回動軸部２１ａの下部には、下部カバー２３が被着されており、下部カバー２３の後部と基体２１との間に、第２の継手３０の開口縁部３０ａが回動自在に挟持されている。
【００１９】
カバー部材２２は、基体２１の上面に被着されており、カバー部材２２と基体２１との間に、第２の継手３０の開口縁部３０ａが回動自在に挟持されている。
また、カバー部材２２は、基体２１の上面との間に空間部Ｋを形成しており、この空間部Ｋに、吸口本体１０Ａに内蔵されたモータ等に電力を供給するための図示しないハーネスが収容されるようになっている。
【００２０】
カバー部材２２の後端には、図２に示すように、左右方向において中央となる部分に、凹状部２４が形成されている。この凹状部２４には、第２の継手３０の後記する位置決め手段の摺動部材３５が係合するようになっている。
【００２１】
第２の継手３０は、内部に吸込通路Ｒ２が形成された管状の基体３１と、基体３１の上面に被着されたカバー部材３２とを備え、基体３１の後部には、第２の吸込具６（図１参照）が接続可能な筒状接続部３３が形成されている。筒状接続部３３の上面には、図３に示すように、第２の吸込具６に設けられたフック状の係合部材６ａが係合される係合部４０が形成されている。
【００２２】
係合部４０は、図２に示すように、筒状接続部３３の上面に形成された四角い凹溝４０ａ内に配置された摺動部材としてのスライド部材４１と、このスライド部材４１を凹溝４０ａ内にスライド可能に保持する四角枠状の枠部材４２とを備える。
【００２３】
スライド部材４１は、板状の基部４１ａと、この基部４１ａの前部に一体的に設けられたガイド部４１ｂと、基部４１ａの後部に一体的に設けられ、第２の吸込具６の係合部材６ａが係止される第２の面４１ｄが形成された係止部４１ｃと、を備える。
【００２４】
このようなスライド部材４１は、枠部材４２の後記する一対の第１の面４４、４４の間において延長管５（筒状接続部３３）の軸方向にスライドして位置変更可能であり、一対の第１の面４４、４４の間に位置して、第２の吸込具６の係合部材６ａの係合を保持する第１の位置（図３、図５（ａ）参照）と、枠部材４２の後端４２ａに係止部４１ｃが移動して、枠部材４２の後記する切欠部４５、４５の側方に第２の面４１ｄが位置する第２の位置とを採り得るようになっている。別言すれば、切欠部４５、４５は、第１の面４４、４４における、第２の面４１ｄの延長上となる部分に形成されている。
【００２５】
ガイド部４１ｂは、図５（ａ）（ｂ）に示すように、縦板状の延設部４１ｂ１と、前壁部４１ｂ２とを備える。延設部４１ｂ１の上部には凹溝４１ｅが形成されている（図２参照）。この凹溝４１ｅ内には、ロック手段を構成する球状部材４６が配置されている。また、凹溝４１ｅに対応するカバー部材３２の内面には、図３に示すように、球状部材４６を収容可能な収容室Ｓ１が形成されている。凹溝４１ｅの深さは、球状部材４６の直径よりも小さい。凹溝４１ｅの深さは、球状部材４６の半径よりも大きいのが好ましい。
【００２６】
凹溝４１ｅと収容室Ｓ１とは、後記するように、スライド部材４１の係止部４１ｃが第１の位置（図３、図５（ａ）に示す位置）にあるときに、相互に連通する位置関係となるように設けられている。これによって、基準面Ｆ（図４参照）と延長管５（図１参照）の軸心Ｏ１とのなす角度θが９０度以上となるように、第１の継手２０および第２の継手３０を起立させると、凹溝４１ｅにある球状部材４６が重力によって収容室Ｓ１へと転動するようになっている（図７（ａ）（ｂ）参照）。球状部材４６の形状は、球形状に限らず、凹溝４１ｅから収容室Ｓ１へ容易に移動可能な形状であれば、楕円形状、円柱形状、角形状であってもよい。
【００２７】
また、凹溝４１ｅは、後記するように、スライド部材４１の係止部４１ｃが第２の位置（図５（ｂ）参照）にあるときに、収容室Ｓ１よりも後方にスライド移動して、カバー部材３２の後方に位置するようになっている。
前壁部４１ｂ２は、延設部４１ｂ１の前部に一体的に設けられており、基体３１に設けられた縦壁３１ａ（図３参照）に沿ってスライド移動可能となっている。ここで、縦壁３１ａの後端部３１ｂは、後方へ向けて下り傾斜状とされており、図５（ｂ）に示すように、スライド部材４１の係止部４１ｃが第２の位置にスライド（最後端へスライド）した場合においても、前壁部４１ｂ２が、後端部３１ｂに係合するように構成されている。
これによって、スライド部材４１のスムーズなスライドが実現されるようになっている。なお、後端部３１ｂには、延設部４１ｂ１の前部の傾斜面４１ｆが係合するようになっている（図３参照）。
【００２８】
本実施形態では、後記するように、凹溝４１ｅ内から収容室Ｓ１内に球状部材４６が転動することで（第１の継手２０と第２の継手３０とを起立させて解除位置に球状部材４６を転動させることで）、スライド部材４１のロック状態が解除されるようになっており（図７（ａ）（ｂ）参照）、スライド部材４１の後方へのスライドが可能となっている。
一方、図３に示すように、凹溝４１ｅ内に球状部材４６が位置する場合（保持位置にある場合）には、球状部材４６が図５（ａ）に示す後壁部３９ｂの側壁３９ｃに当接して、スライド部材４１の後方へのスライドを邪魔するようになっている。これによって、スライド部材４１の後方へのスライドがロック状態とされる。
【００２９】
前壁部４１ｂ２と後壁部３９ｂとの間には、スライド部材４１を第２の位置から第１の位置へ向けて付勢する付勢手段としての一対のコイルばね３８が縮設されている。
【００３０】
カバー部材３２の後端部には、延長管５の軸方向（筒状接続部３３の軸方向）に延びる一対の電源端子３７、３７が突設されている。この電源端子３７、３７は、第２の吸込具６の前端部に設けられた図示しない接続部に対応して設けられており、第２の継手３０に対して第２の吸込具６を差し込まれて接続されると、図示しない接続部に電気的に接続されるようになっている。電源端子３７、３７は、２本ではなく、３本であってもよい。
【００３１】
枠部材４２は、図２、図５（ａ）に示すように、延長管５（筒状接続部３３）の軸方向に沿う一対の第１の面４４、４４を有するとともに、後端部に切欠部４５、４５を有する。一対の第１の面４４、４４間には、スライド部材４１の係止部４１ｃが軸方向にスライド可能に配置される。また、切欠部４５、４５は、第２の吸込具６の係合部材６ａの周方向の移動を許容する大きさを有しており、係止部４１ｃが図５（ｂ）に示す第２の位置にあるときに、係合部材６ａは、第２の面４１ｄから切欠部４５を通ることで係合部４０から離脱可能となっている。
【００３２】
ここで、図３に示すように、第２の吸込具６に設けられたフック状の係合部材６ａは、図示しない付勢部材によって、係合部４０に向けて突出する側に付勢されており、この付勢によって、スライド部材４１の係止部４１ｃの第２の面４１ｄに係止されるようになっている。
なお、係合部材６ａは、第２の吸込具６の上面に設けられたボタン６ｂを押圧操作することによって、前記付勢力に抗して係止状態を解除することが可能である。
【００３３】
次に、第１の吸込具１０の第２の継手３０と第２の吸込具６との係脱操作について説明する。
第２の継手３０に第２の吸込具６を接続する際には、第２の継手３０の筒状接続部３３に第２の吸込具６を差し込んで、第２の継手３０の係合部４０に第２の吸込具６の係合部材６ａを係合させる。
このとき、筒状接続部３３に第２の吸込具６を差し込んでいくと、係合部材６ａが、スライド部材４１の係止部４１ｃを乗り越え、付勢力によって係止部４１ｃの第２の面４１ｄに係止される。これによって、第２の継手３０に第２の吸込具６を接続することができる。
【００３４】
ここで、接続時には、係止部４１ｃが第１の位置にあり、凹溝４１ｅと収容室Ｓ１は連通しているので、前記のように第１の継手２０および第２の継手３０を起立させなければ、球状部材４６は、重力によって凹溝４１ｅ内に位置している。
これによって、図５（ａ）に示すように、球状部材４６が後壁部３９ｂの側壁３９ｃに当接して、スライド部材４１の後方へのスライドを邪魔し、スライド部材４１は、第１の位置にスライド不能にロックされることとなる。
したがって、使用時に、操作管４（図１参照、以下同じ）を手で把持して延長管５を引いたり押したりする操作を加えても、スライド部材４１のロック状態が好適に維持されるようになり、スライド部材４１の係止部４１ｃから係合部材６ａが外れることがない。
【００３５】
次に、第１の吸込具１０と第２の吸込具６との接続を解除する場合について説明する。
はじめに、図６（ａ）（ｂ）、図９（ａ）に示すように、第１の継手２０および第２の継手３０を起立させる。そして、図４に示すように、基準面Ｆと延長管５（図１参照）の軸心Ｏ１とのなす角度θが９０度以上となるようにすると、図６（ａ）（ｂ）に示すように、凹溝４１ｅ（保持位置）に位置していた球状部材４６が、図７（ａ）（ｂ）に示すように、収容室Ｓ１側（解除位置側）に転動する。これによって、球状部材４６によるスライド部材４１のスライドのロックが解除され、スライド部材４１の位置変更が可能となる。
【００３６】
そして、図９（ｂ）に示すように、操作管４（図１参照）を手で把持しつつ、第１の吸込具１０を足で抑える等して延長管５を上方向（矢印Ａ１方向）に引き上げる操作を行うと、図８（ａ）（ｂ）に示すように、スライド部材４１が係合部材６ａに引っ張られて上方向（矢印Ａ１方向）にスライド移動し、第２の位置に移動する。
【００３７】
この状態で、手で把持している操作管４に、図９（ｃ）に示すような矢印Ｂ１方向のひねり操作を加える。そうすると、係止部４１ｃの第２の面４１ｄに当接していた係合部材６ａが切欠部４５を通じて係合部４０から離脱し（図８（ａ）参照）、係合部４０に対する係合部材６ａの係合が解除される。
つまり、第１の吸込具１０と第２の吸込具６のうち、一方が他方に対して延長管５の軸方向の引っ張り力および延長管５の軸心を基準とした軸心周りのねじり力が作用した場合に、係合部４０に対する係合部材６ａの係合が解除されることとなる。
【００３８】
これによって、第１の吸込具１０と第２の吸込具６との接続のロックを解除して、これらを容易に取り外すことができる。
【００３９】
以下では、本実施形態において得られる効果を説明する。
（１）使用者による操作管４への引っ張り操作およびひねり操作に応じて、第１の吸込具１０が第２の吸込具６から外れる構成であるので、２つの異なる操作を行ったときにはじめて、第１の吸込具１０を第２の吸込具６から切り離すことができる。つまり、引っ張り操作のみ、あるいはひねり操作のみでは、第１の吸込具１０が第２の吸込具６から切り離されないので、清掃中に不意に第１の吸込具１０が第２の吸込具６から外れてしまうのを確実に防止することができ、使い勝手の良い電気掃除機１が得られる。
（２）使用者による操作管４への引っ張り操作およびひねり操作に加え、被清掃面と延長管５（筒状接続部３３）とのなす角度が略９０度以上となる操作に応じて、第１の吸込具１０が第２の吸込具６から外れるので、清掃中に不意に第１の吸込具１０が第２の吸込具６から外れてしまうのをより一層確実に防止することができ、使い勝手の良い電気掃除機１が得られる。
（３）使用者による操作管４へのボタン４ｂの押下操作に応じて、延長管５が操作管４から外れ、使用者による延長管５へのボタン５ｂの押下操作に応じて、第２の吸込具６が延長管５から外れ、使用者による操作管４への引っ張り操作およびひねり操作以外に、使用者による第２の吸込具６へのボタン押下操作によっても、第２の吸込具６から第１の吸込具１０が外れるので、各部を確実に取り外すことが可能であり、使い勝手のよい電気掃除機１が得られる。
（４）第１の吸込具１０と第２の吸込具６のうち、一方が他方に対して延長管５の軸方向の引っ張り力および延長管５の軸心を基準とした軸心周りのねじり力が作用した場合にこれらが外れるようになっているので、２つの異なる方向の力が作用した場合にはじめて第２の吸込具６から第１の吸込具１０を切り離すことができる。つまり、引っ張り力のみ、あるいはねじり力のみでは、第１の吸込具１０が第２の吸込具６から切り離されないので、清掃中に不意に第１の吸込具１０が第２の吸込具６から外れてしまうのを確実に防止することができ、使い勝手の良い電気掃除機１が得られる。
また、例えば、図４に示すように、基準面Ｆと延長管５（図１参照）の軸心Ｏ１とのなす角度θが９０度以上となるように第１の継手２０および第２の継手３０を起立させる方向の力が作用したときに、スライド部材４１のロック（接続のロック）を解除することができるので、清掃中に不意に第１の吸込具１０が第２の吸込具６から外れてしまうのを確実に防止することができ、使い勝手の良い電気掃除機１が得られる。
（５）２以上の異なる方向の力は、延長管５の軸方向の力と延長管５の円周方向の力を含むので、力の方向が明確であり、操作が行い易いという利点が得られる。なお、切り離しに必要な力としては、前記のように第２の継手３０を起立させる方向の力や、延長管５の軸心を基準とした軸心周りのねじり力を作用させて後に、延長管５を上方に引き抜く力等がある。
（６）ロック手段は、延長管５の軸方向の力が作用した後に、延長管５の円周方向の力が作用した場合に、接続のロックを解除するように構成されているので、接続のロックを解除するにあたって電源端子３７の接続の解除を一連の操作の中で確実にしかも簡単に行うことができる。
（７）第１の位置に係合部材６ａが位置するときに、電源端子３７が第２の吸込具の接続部に接続され、第２の位置に係合部材６ａが位置するときに、電源端子３７と接続部との接続が解除されるように構成されているので、接続あるいは解除時に、電源端子３７が破損するのを好適に阻止することができる。
（８）係合部４０と、係合部４０に係合可能な係合部材６ａと、による簡単な構造で係脱を行うことができるので、組み付けが簡単になりコストの低減を図ることができる。
（９）スライド部材４１は、第１の位置と第２の位置との間でスライド可能に設けられているので、スライド部材４１のロック（接続のロック）を解除する構造が簡単になり、組み付けも簡単になってコストの低減を図ることができる。
（１０）スライド部材４１はコイルばね３８によって、第２の位置から第１の位置に向けて付勢されているので、接続の解除後は、スライド部材４１が第１の位置に自動的に復帰することとなり、接続時の誤動作等が生じにくいという利点が得られる。
（１１）回動軸部２１ａの端部の切込部２１ｂに、垂直位置決め手段９の摺動部材９ａが係合するようになっているので、被清掃面に対して第１の継手２０および第２の継手３０が垂直に立ち上がる状態で保持することができる。したがって、第２の継手３０に対する第２の吸込具６や延長管５等の着脱が容易であるという利点が得られる。
（１２）基準面Ｆと延長管５（図１参照）の軸心Ｏ１とのなす角度θが９０度以上となった場合にロック（接続のロック）を解除する機構（ロック解除機構）として、特許文献１では軸方向に延びるピンＤを用いるのに対して、本実施例では、球状部材４６を用いるため、ロック解除機構が第２の継手３０上で完結しカバー部材２２および基体２１に形成されないので、カバー部材２２と基体２１の上面との間の空間部Ｋを広くできる。よって、空間部Ｋにハーネスだけでなく制御回路なども設けることができ、制御回路によって制御される複数の発光体（例えば、ＬＥＤ）をカバー部材２２に設けることもできる。この複数の発光体は、第１の吸込具１０の吸込口１０ａに形成される回転ブラシにかかる被清掃面からの負荷に応じてまたは掃除機本体２の運転モード（例えば、強、中、弱）に応じて変色（例えば、青、黄、緑）するのが好ましい。使用者による操作管４への引っ張り操作およびひねり操作がなく、被清掃面と延長管５（筒状接続部３３）とのなす角度が略９０度以上となる操作に応じて、第１の吸込具１０が第２の吸込具６から外れる態様でもよい。
【００４０】
なお、図１０に示すように、第１の吸込具１０に対して、第２の吸込具６だけではなく、延長管５や操作管４を接続することができ、またこれらを、前記と同様の操作を行うことによって切り離すことができる。したがって、清掃中に不意に延長管５や操作管４から第１の吸込具１０が外れてしまうのを確実に防止することができ、使い勝手の良い電気掃除機１が得られる。また、係合部材６ａは、従来のボタン６ｂの操作による構造をそのまま採用することができ、部品の共通化や組み付け作業の容易化を図ることができ、コストの低減を図ることができる。なお、図中係合部材６ａは、係合部材５ａ、４ａと対応しており、ボタン６ｂは、ボタン５ｂ、４ｂに対応している。
【００４１】
なお、第１の面４４、４４は、筒状接続部３３に凹部を形成することで設けたが、これに限られることはなく、筒状接続部３３にリブ等を設けて、その側面等で第１の面４４、４４を形成してもよい。また、切欠部４５は、第１の面４４、４４の一方にのみ設けても良い。
【００４２】
（第２実施形態）
図１１（ａ）（ｂ）に示すように、本実施形態が前記第１実施形態と異なるところは、摺動部材３５Ａにロック機能を設けた点にある。
摺動部材３５Ａは、同図に示すように、後部に延びる延設部３５ｂを備え、この延設部３５ｂの後部に収容室Ｓ１に出没する解除規制部材３５ａが一体的に設けられている。
【００４３】
解除規制部材３５ａは、図１１（ａ）に示すように、カバー部材２２の側面２２ａに摺動部材３５Ａの先端が当接している状態では、図１１（ｂ）に示すように、後端部３５ａ１が収容室Ｓ１内に突出している。これによって、球状部材４６が収容室Ｓ１側に転動することが規制されるようになっている。
【００４４】
一方、図１２（ａ）（ｂ）に示すように、第１の継手２０および第２の継手３０Ａが起立され、カバー部材２２に設けられた凹状部２４に摺動部材３５Ａが係合している状態では、収容室Ｓ１内から後端部３５ａ１が没し、球状部材４６の収容室Ｓ１への転動が可能となる。したがって、起立されると球状部材４６は、凹溝４１ｅから収容室Ｓ１に転動して、スライド部材４１のロックが解除されるようになる。
【００４５】
このような構成を備えることによって、図１３（ａ）（ｂ）に示すように、第１の継手２０および第２の継手３０Ａが垂直方向に起立した姿勢を採るときにのみ、接続の解除が可能となる。
これにより、例えば、図１４に示すように第１の継手２０のみを起立するような姿勢で使用した場合に、矢印Ａ１、Ｂ１方向への移動が不可となり、球状部材４６の転動が確実に防止されるようになる。したがって、清掃中に不意に第１の吸込具１０が第２の吸込具６から外れてしまうのを確実に防止することができ、使い勝手の良い電気掃除機１が得られる。
【００４６】
なお、前記各実施形態において、第１の継手２０や第２の継手３０等を起立する際には、図１５に示すように壁Ｗ等を利用して（壁Ｗに突き当てるようにして）容易に行うことができる。
【００４７】
（第３実施形態）
本実施形態が前記第１、第２実施形態と異なるところは、被清掃面と延長管５（図１参照、以下同じ）とのなす角度θ（図１８（ｂ）参照）が略６０度以上となる操作で第１の吸込具１０が第２の吸込具６（ともに図１参照、以下同じ）から外れるように構成した点にある。
【００４８】
図１６に示すように、本実施形態では、ロック手段を構成する移動部材としての球状部材４６が、傾斜部（傾斜面）としての前側傾斜部５２を有する凹溝５０に収容されるように構成されている。本実施形態においても、球状部材４６は、凹溝５０に収容されて第１の吸込具１０と第２の吸込具６（延長管５）との接続のロックを保持する保持位置を採り、また、凹溝５０に対応するカバー部材３２の内面に形成された収容室Ｓ２に転動して、ロックを解除する解除位置を採るように構成されている。
【００４９】
凹溝５０は、図１７に示すように、スライド部材４１のガイド部４１ｂの延設部４１ｂ１に、側面視で略すり鉢形状に形成されており、底面部５１と、傾斜部としての前側傾斜部５２と、後側傾斜部５３とを備えてなる。底面部５１は、延長管５の軸心Ｏ１（図４参照、以下同じ）と平行に設けられており、また、前側傾斜部５２は、底面部５１との角度θ１が鈍角となるように底面部５１から前側へ向けて傾斜するように形成されている。本実施形態では、角度θ１を１２０度に設定している。
つまり、図示しない被清掃面に対向する第１の吸込具１０の吸込口面を基準面Ｆとしたときに、基準面Ｆと延長管５の軸心Ｏ１（またはこれに平行な線Ｏ１’）とのなす角度が６０度になると、前側傾斜部５２は、基準面Ｆと平行になるように設定されている（図１８（ｂ）参照、）。
なお、前側傾斜部５２は、収容室Ｓ２へ向けた直線状の傾斜面としたが、これに限られることはなく、前側へ向けて凹状とされた斜面を有するように形成したものでもよく、また、これとは逆に後側へむけて凸状とされた斜面を有するように形成したものでもよい。また、底面部５１は、延長管５の軸心Ｏ１と必ずしも平行に設ける必要はない。
【００５０】
このような前側傾斜部５２を備えることによって、球状部材４６は、前記第１実施形態のところで図４を参照して説明したような、基準面Ｆと延長管５の軸心Ｏ１とのなす角度θが９０度以上となる前の段階、すなわち、角度θが６０度以上となるようにする操作で、第１の吸込具１０が第２の吸込具６（延長管５）から外れるようになっている。
【００５１】
なお、凹溝５０の後側傾斜部５３も、底面部５１から後側へ向けて鈍角となるように傾斜して形成されている。
また、凹溝５０の深さは、球状部材４６の直径の２／３以上となるように設定されることが好ましく、さらに、球状部材４６の直径の３／４程度に設定されることが好ましい。
【００５２】
このような凹溝５０に対応する収容室Ｓ２には、凹溝５０の前側傾斜部５２に連続するように戻り用の傾斜部６２が形成されている。収容室Ｓ２は、天部６１と、傾斜部６２とを備えて構成され、収容室Ｓ２の後側には、球状部材４６を凹溝５０側と収容室Ｓ２側とに振り分けるための振分部材６３が配置されている。
【００５３】
天部６１は、凹溝５０の底面部５１と略平行とされており、図１７に二点鎖線で示すように、球状部材４６は、この天部６１と振分部材６３の内面６３ａとの間に保持されて解除位置を採るように構成されている。
傾斜部６２は、前側へ向けて凹状とされた（円弧状とされた）斜面を形成しており、収容室Ｓ２内に球状部材４６が位置するときに、解除位置側（収容室Ｓ２側）から保持位置側（凹溝５０側）へ向けて球状部材４６が自然に転動するのを補助する（転動し易くする）役割をなす。
【００５４】
振分部材６３は、球状部材４６を凹溝５０側と収容室Ｓ２側とに振り分けるためのくさび形状の突出部６３ｂを有している。突出部６３ｂは、先端部６３ｃが収容室Ｓ２側（収容室Ｓ２内）に位置しており、先端部６３ｃよりも下側（凹溝５０側）には、凹溝５０に対向するように傾斜した当接面６３ｄが形成されている。この当接面６３ｄには、球状部材４６が当接可能であり、凹溝５０内に球状部材４６がある状態で延長管５が上方向（矢印Ａ１方向、図１８（ａ）参照）に引き上げ操作された際に、球状部材４６が当接面６３ｄに当接してスライド部材４１の移動を規制するようになっている。
なお、突出部６３ｂの先端部６３ｃは、凹溝５０と収容室Ｓ２との境界位置となるように配置してもよく、球状部材４６の振り分けが所望の角度θで行われるように形状を変更することもできる。
【００５５】
次に、第１の吸込具１０と第２の吸込具６との接続を解除する際の作用について説明する。
はじめに、図１８（ａ）に示すように、基準面Ｆ（図示しない被清掃面）と延長管５の軸心Ｏ１（ここでは軸心Ｏ１に平行な線Ｏ１’）とのなす角度θが６０度未満となる４５度（一般的な使用状態における角度）である状態では、球状部材４６が、凹溝５０内にあって、底面部５１と前側傾斜部５２とに跨るようにして位置して保持位置にある。この状態で、延長管５を上方向（矢印Ａ１方向）に引き上げ操作しても、球状部材４６が振分部材６３の当接面６３ｄに当接することとなるため、スライド部材４１のスライドのロックが保持され、スライド部材４１の移動が規制される。
【００５６】
次に、図１８（ｂ）に示すように、基準面Ｆと延長管５の軸心Ｏ１（線Ｏ１’）とのなす角度θが一般的な使用状態よりも高くなる６０度に持ち上げられると、凹溝５０の底面部５１が基準面Ｆと平行になり、球状部材４６が保持位置側（凹溝５０側）から解除位置側（収容室Ｓ２側）に転動（移動）可能となる。
さらに、図１８（ｃ）に示すように、基準面Ｆと延長管５の軸心Ｏ１（線Ｏ１’）とのなす角度θが６０度より大きくなると、球状部材４６が解除位置側（収容室Ｓ２側）に向けて自然に転動（移動）し、前側傾斜部５２側から傾斜部６２側に転動する。この状態で、延長管５を上方向（矢印Ａ１方向）に引き上げ操作すると、振分部材６３の突出部６３ｂに球状部材４６が当接し、球状部材４６が弾かれるようにして収容室Ｓ２側に移動する（図１８（ｄ）参照）。これによって、球状部材４６によるスライド部材４１のロックが解除され、スライド部材４１の位置変更（第１の位置から第２の位置への変更）が可能となる。
なお、基準面Ｆと延長管５の軸心Ｏ１（線Ｏ１’）とのなす角度θが６０度であるときにも、延長管５を持ち上げるときの勢い等で、球状部材４６が解除位置側（収容室Ｓ２側）に向けて移動可能であり、スライド部材４１の位置変更が可能である。
【００５７】
したがって、第１の吸込具１０と第２の吸込具６（延長管５）との接続のロックを解除して、これらを容易に取り外すことができる。
【００５８】
一方、第１の吸込具１０から第２の吸込具６（延長管５）が外されると、一対のコイルばね３８（図５（ａ）（ｂ）参照）の付勢力によってスライド部材４１が第２の位置から第１の位置へ戻される。これによって、球状部材４６が収容室Ｓ２側から凹溝５０側に転動して戻される。この際、収容室Ｓ２に形成された傾斜部６２によって、収容室Ｓ２側から凹溝５０側へ球状部材４６がスムーズに転動され、球状部材４６が凹溝５０内に確実に戻されることとなる。
【００５９】
このような構成を備えることによって、基準面Ｆと延長管５の軸心Ｏ１（線Ｏ１’）とのなす角度θが６０度以上となる操作に応じて、第１の吸込具１０が第２の吸込具６から外れるので、清掃中に不意に第１の吸込具１０が第２の吸込具６から外れてしまうのを確実に防止しつつ、清掃時の角度（略４５度）から少し持ち上げた角度（６０度）で第１の吸込具１０が第２の吸込具６から外れるようになり、扱い易さが増して、より一層使い勝手のよい電気掃除機１が得られる。
【００６０】
また、清掃時の角度（略４５度）から少し持ち上げた角度（６０度）で第１の吸込具１０が第２の吸込具６から外れるようになるので、前記実施形態のように、基準面Ｆと延長管５の軸心Ｏ１（線Ｏ１’）とのなす角度θが９０度以上となる前の段階で取り外し操作を開始することができ、取り外し操作を無理なく行うことができて扱い易い電気掃除機１が得られる。
【００６１】
また、振分部材６３は、くさび形状の突出部６３ｂを有しているので、先端部６３ｃで球状部材４６がうまく弾かれるようになり、振り分けを確実に行うことができる。したがって、扱い易く、より一層使い勝手のよい電気掃除機１が得られる。
【００６２】
（第４実施形態）
本実施形態が前記第１、第２実施形態と異なるところは、係合部４０からスライド部材４１を排除した点にある。
図１９、図２０（ａ）（ｂ）に示すように、第２の継手３０Ｂに形成される係合部４０’は、筒状接続部３３の上面に形成された四角い凹溝内に、四角い枠部材４２が嵌め込まれてなり、凹溝内には、前部側が深く、後部側が浅く形成された段付き状の底面部４１ａ’、４１ｂ’が形成されている。そして、底面部４１ａ’、４１ｂ’の境界部分には、第２の吸込具６の係合部材６ａが係止される係止面４３ｃ’（図２０（ｂ）を併せて参照）が形成されている。
【００６３】
このような係合部４０’では、接続時に、第２の継手３０Ｂに第２の吸込具６を嵌め込んでいくと、係合部材６ａが、付勢力によって凹溝内に入り込み、底面部４１ｂ’に当接しながら凹溝内を前方へ進む状態となる。そして、さらに第２の継手３０Ｂに第２の吸込具６を嵌め込んでいくと、凹溝内を前方へ進んできた係合部材６ａが、接続の終端で底面部４１ｂ’から底面部４１ａ’に移動し、係止面４３ｃ’に当接するようにして係止される（図２０（ａ）（ｂ）参照）こととなる。これによって、第２の継手３０Ｂに第２の吸込具６を接続することができる（図２１（ａ）参照）。
【００６４】
また、接続の解除時には、図２１（ｂ）に示すように、第２の継手３０Ｂを第２の吸込具６から引き抜く操作を行うと（矢印Ａ１方向の力を作用させると）、係合部材６ａは、底面部４１ａ’から係止面４３ｃ’を乗り越えて底面部４１ｂ’に移動し、底面部４１ｂ’に当接しながら凹溝内を後方へ進んで、第２の面４２ａに当接する（図２０（ａ）（ｂ）参照）。
ここで、第２の吸込具６を、図２１（ｃ）に示すように、矢印Ｂ１方向にひねると、図２０（ａ）に示すように、切欠部４５を通じて係合部材６ａが係合部４０’から離脱する。これによって、第２の吸込具６から第２の継手３０Ｂを切り離すことができる。
【００６５】
このような係合部４０’を有する電気掃除機１によれば、使用者による操作管４への引っ張り操作およびひねり操作によって、第１の吸込具１０を第２の吸込具６から切り離すことができる。つまり、２つの異なる操作を行う（２つの異なる方向の力を作用させる）ことによって、第１の吸込具１０が第２の吸込具６から切り離されるので、清掃中に不意に第１の吸込具１０が第２の吸込具６から外れてしまうのを確実に防止することができ、使い勝手の良い電気掃除機１が得られる。
【００６６】
なお、底面部４１ａ’、４１ｂ’を同じ深さに形成して、係止面４３ｃ’の代わりに、係合部材６ａが係止される溝部を底面部４１ａ’、４１ｂ’に形成してもよい。
また、溝部は必ずしも形成する必要はなく、傾斜状（テーパ状）等の底面部としてもよい。
【００６７】
なお、前記各実施形態において、各部の形状等は任意に設定することができ、スライド部材４１の円周方向の幅や長さ等も任意に設定することができる。
【００６８】
また、前記実施形態において移動部材は、球状部材４６にて説明したが、これに限られることはなく、転動可能な円柱状の部材であってもよい。
【符号の説明】
【００６９】
１      電気掃除機
２      掃除機本体
３      ホース
４      操作管
４ｂ    ボタン
５      延長管（管）
５Ａ、５Ｂ    管体
６      第２の吸込具
６ａ    係合部材
１０    第１の吸込具
１０Ｂ  吸口継手
１０ａ  吸込口
２０    第１の継手
３０、３０Ａ、３０Ｂ    第２の継手
４１    スライド部材
４１ｃ  係止部
４１ｄ  第２の面
４４    第１の面
４５    切欠部
４６    球状部材
Ｏ１    軸心
Ｒ１、Ｒ２    吸込通路
Ｓ１    収容室
【図１】
2010269129.tif 000003
【図２】
2010269129.tif 000004
【図３】
2010269129.tif 000005
【図４】
2010269129.tif 000006
【図５】
2010269129.tif 000007
【図６】
2010269129.tif 000008
【図７】
2010269129.tif 000009
【図８】
2010269129.tif 000010
【図９】
2010269129.tif 000011
【図１０】
2010269129.tif 000012
【図１１】
2010269129.tif 000013
【図１２】
2010269129.tif 000014
【図１３】
2010269129.tif 000015
【図１４】
2010269129.tif 000016
【図１５】
2010269129.tif 000017
【図１６】
2010269129.tif 000018
【図１７】
2010269129.tif 000019
【図１８】
2010269129.tif 000020
【図１９】
2010269129.tif 000021
【図２０】
2010269129.tif 000022
【図２１】
2010269129.tif 000023